(57)【要約】【課題】道路面、柱状物等の構造物の周辺、建物の床、壁面、天井、等の手軽で機動性の要求される工事に適した多目的電動カッター装置の提供。【解決手段】カッター刃１の回転駆動部２と連動する吸塵ファン３を有するカッター本体ＨＣと芯出し位置決めジグＪとから構成される電動カッター装置であって、カッター本体ＨＣと芯出し位置決めジグＪを分離自在とし、切断円の大きさに合わせてカッター刃１を交換可能とし、芯出し位置決めジグＪは回動の中心を保持する回動中心部と連結アーム部６で連結する回動支持部とからなり、回動支持部は路面に平行な平面から見てカッター本体ＨＣを水平回動自在とする水平回動機構ＫＨ及び路面に直交する垂直面から見てカッター本体を上下揺動自在とする上下揺動機構ＫＶとから構成され、非切断領域を残してその周囲を切断可能とすると共に、カッター本体ＨＣのみを分離して使用可能とすることを特徴とする。【選択図】        図１
2004360276.tif 000002
【特許請求の範囲】
【請求項１】
カッター刃の回転駆動部と連動する吸塵ファンを有するカッター本体と切断時に用いる芯出し位置決めジグとから構成される電動カッター装置であって、カッター本体と前記芯出し位置決めジグを分離自在とし、前記芯出し位置決めジグは回動の中心を保持する回動中心部と連結アーム部でこれに連結する回動支持部とからなり、回動支持部は路面に平行な平面から見てカッター本体を水平回動自在とする水平回動機構及び路面に直交する垂直面から見てカッター本体を上下揺動自在とする上下揺動機構とから構成され、非切断領域を残してその周囲を切断可能とすると共に、カッター本体のみを分離して使用可能とすることを特徴とする多目的電動カッター装置。
【請求項２】
前記回動中心部は、柱状物の周面に沿って回動可能に平行かつ対向して２以上複数の第１遊動輪を備えて摺動可能に当接する円弧状の突き当て摺動ガイド部材を形成し、この円弧状の頂部に接続用雄ネジ部を備えて前記回動支持部に連結可能な構成としたことを特徴とする請求項１に記載の多目的電動カッター装置。
【請求項３】
前記回動中心部は、柱状物の周面に沿って回動可能に平行かつ対向して２以上複数の第１遊動輪を備えて摺動可能に当接する円弧状の突き当て摺動ガイド部材の外側に重ねて上下揺動自在の楕円形状長手方向半割の弧状体を設けて成り、この弧状体の頂部に接続用雄ネジ部を備えて前記回動支持部に連結可能な構成としたことを特徴とする請求項１に記載の多目的電動カッター装置。
【請求項４】
前記回動中心部は、前記連結アーム部を切断円中心方向に伸延した構成とし、この連結アーム部の中心側の端部に回動のための支軸を、芯出し板状体の中心となるＺ軸に沿って垂設して第１遊動輪を不要とすると共に、この連結アーム部が前記Ｚ軸に直交する水平軸の回りに揺動自在とすると共に、前記回動支持部に合体する構成としたことを特徴とする請求項１に記載の多目的電動カッター装置。
【請求項５】
回動支持部を構成する水平回動機構は、回動中心部側の一端に雌ネジを設けた接続用部材を介し、
１）前記突き当て摺動ガイド部材を構成する円弧状の頂部に設けられた接続用雄ネジ部と係合螺着して連結する請求項２に記載の構成、
または、２）楕円形状長手方向半割の弧状体の頂部に設けられた接続用雄ネジ部と係合螺着して連結する請求項３に記載の構成、
更にまた、３）接続用部材を介さず切断円中心の支軸から直接つながって合体する請求項４に記載の構成の何れか一つの構成と、
切断円の位置する外側に向かって伸延する長さ調節機能を有する連結アーム部と、
この連結アーム部の他端に路面に直交する垂直面から見てカッター本体を上下揺動自在とする上下揺動機構を構成する要素となる円孤状ガイド部材と、
を接続固設し、更に前記連結アーム部の他端近傍かつ前記円孤状ガイド部材の切断円の中心寄りに切断操作時の同心円の軌道上を回動可能に２以上複数の第２遊動輪を設けて成ることを特徴とする請求項１に記載の多目的電動カッター装置。
【請求項６】
回動支持部を構成する上下揺動機構は、カッター本体が円弧に沿って上下揺動自在となるように円孤状ガイド部材の表裏両面から弾力的に挟持するローラ部材を複数対配設し、前記円孤状ガイド部材にガイドされて動作可能な係合可動部材を前記カッター本体に装脱可能に具備して成ることを特徴とする請求項１に記載の多目的電動カッター装置。
【請求項７】
前記係合可動部材は、前記円弧状ガイド部材上に一定ピッチで穿設されたピン孔の所望の位置でピンを挿入して掛止され、固定可能な構成としたことを特徴とする請求項６に記載の多目的電動カッター装置。
【請求項８】
カッター刃は、断面円弧状の回転刃を構成し、切断面を球面状に切断可能とすることを特徴とする請求項１に記載の多目的電動カッター装置。
【請求項９】
第２遊動輪を棒状支持体の下方先端部に回動自在に設け、前記棒状支持体にバネ部材を巻着し、連結アーム部の所定部位に固設されたフレームに前記棒状支持体の軸方向に摺動自在に前記棒状支持体を貫装し、上方からの押圧力を外した時に前記バネ部材が伸びる方向に復元し、前記連結アーム部を介してカッター刃と共にカッター本体を上方に浮上するように構成したことを特徴とする請求項１または５に記載の多目的電動カッター装置。
【発明の詳細な説明】
【０００１】
【発明の属する技術分野】
本発明は、一般道路工事、マンホール関連工事、円形縦坑工事、タイル、ブロック等を敷き詰めた道路関連工事、更に電柱、標識柱周りの工事に用いる多目的電動カッター装置に関する。
【０００２】
【従来の技術】
従来、道路関連工事において、構造物を設置した後の周辺の切り取られた舗装路面の復旧工事は仮に補修を行う仮復旧工事にとどまり、後日改めて本復旧工事を行うという、無駄な二度手間作業を実施するのが通例であった。
【０００３】
この無駄を解消するために、「舗装路面突出物周囲の切断方法として、電柱にガイド具の当て具を押しつけながら表面に沿って回転刃を有する切断機を移動させ、舗装路版を円形または不完全な円形に切断する方法で、切断した舗装路版をブレーカ等で破砕して撤去し、急結コンクリート撤去部分を修復舗装するので、短時間で工事を終了することができる」という提案が開示されている（例えば、特許文献１参照。）。
【０００４】
【特許文献１】
特開２００１−１６４５１０号公報
【０００５】
【発明が解決しようとする課題】
然しながら、実際にこれという方法が見当たらず、特許文献１に示される先行技術の場合、最も問題となる要素は回転刃の形状であるが、この肝心の回転刃について、具体的に示されず、実際に当業界で用いられているものは、平板状の円板回転刃か、円錐状の回転刃であり、構造上の特性から回転刃に過大な応力が加わり、実際に円形切断作業を行うには無理があると判断せざるを得ないのが実情である。
【０００６】
本発明は、上述の状況に鑑みて成されたもので、道路面、柱状物等の構造物の周辺、建物の床、壁面、天井、等の手軽で機動性の要求される工事に適した多目的電動カッター装置を提供することを目的とする。
【０００７】
【課題を解決するための手段】
本発明は、下記構成を備えることにより上記課題を解決できるものである。
【０００８】
（１）カッター刃の回転駆動部と連動する吸塵ファンを有するカッター本体と切断時に用いる芯出し位置決めジグとから構成される電動カッター装置であって、カッター本体と前記芯出し位置決めジグを分離自在とし、前記芯出し位置決めジグは回動の中心を保持する回動中心部と連結アーム部でこれに連結する回動支持部とからなり、回動支持部は路面に平行な平面から見てカッター本体を水平回動自在とする水平回動機構及び路面に直交する垂直面から見てカッター本体を上下揺動自在とする上下揺動機構とから構成され、非切断領域を残してその周囲を切断可能とすると共に、カッター本体のみを分離して使用可能とする多目的電動カッター装置。
【０００９】
（２）前記回動中心部は、柱状物の周面に沿って回動可能に平行かつ対向して２以上複数の第１遊動輪を備えて摺動可能に当接する円弧状の突き当て摺動ガイド部材を形成し、この円弧状の頂部に接続用雄ネジ部を備えて前記回動支持部に連結可能な構成とした前項（１）に記載の多目的電動カッター装置。
【００１０】
（３）前記回動中心部は、柱状物の周面に沿って回動可能に平行かつ対向して２以上複数の第１遊動輪を備えて摺動可能に当接する円弧状の突き当て摺動ガイド部材の外側に重ねて上下揺動自在の楕円形状長手方向半割の弧状体を設けて成り、この弧状体の頂部に接続用雄ネジ部を備えて前記回動支持部に連結可能な構成とした前項（１）に記載の多目的電動カッター装置。
【００１１】
（４）前記回動中心部は、連結アーム部を切断円中心方向に伸延した構成とし、この連結アーム部の中心側の端部に回動のための支軸を、芯出し板状体の中心となるＺ軸に沿って垂設して第１遊動輪を不要とすると共に、この連結アーム部が前記Ｚ軸に直交する水平軸の回りに揺動自在とすると共に、前記回動支持部に合体する構成とした前項（１）に記載の多目的電動カッター装置。
【００１２】
（５）回動支持部を構成する水平回動機構は、回動中心部側の一端に雌ネジを設けた接続用部材を介し、１）前記突き当て摺動ガイド部材を構成する円弧状の頂部に設けられた接続用雄ネジ部と係合螺着して連結する前項（２）に記載の構成、または、２）楕円形状長手方向半割の弧状体の頂部に設けられた接続用雄ネジ部と係合螺着して連結する前項（３）に記載の構成、更にまた、３）接続用部材を介さず切断円中心の支軸から直接つながって合体する前項（４）に記載の構成の何れか一つの構成と、切断円の位置する外側に向かって伸延する長さ調節機能を有する連結アーム部と、この連結アーム部の他端に路面に直交する垂直面から見てカッター本体を上下揺動自在とする上下揺動機構を構成する要素となる円孤状ガイド部材と、を接続固設し、更に前記連結アーム部の他端近傍かつ前記円孤状ガイド部材の切断円の中心寄りに切断操作時の同心円の軌道上を回動可能に２以上複数の第２遊動輪を設けて成る前項（１）に記載の多目的電動カッター装置。
【００１３】
（６）回動支持部を構成する上下揺動機構は、カッター本体が円弧に沿って上下揺動自在となるように円孤状ガイド部材の表裏両面から弾力的に挟持するローラ部材を複数対配設し、前記円孤状ガイド部材にガイドされて動作可能な係合可動部材を前記カッター本体に装脱可能に具備して成る前項（１）に記載の多目的電動カッター装置。
【００１４】
（７）前記係合可動部材は、前記円弧状ガイド部材上に一定ピッチで穿設されたピン孔の所望の位置でピンを挿入して掛止され、固定可能な構成とした前項（６）に記載の多目的電動カッター装置。
【００１５】
（８）カッター刃は、断面円弧状の回転刃を構成し、切断面を球面状に切断可能とする前項（１）に記載の多目的電動カッター装置。
【００１６】
（９）第２遊動輪を棒状支持体の下方先端部に回動自在に設け、前記棒状支持体にバネ部材を巻着し、連結アーム部の所定部位に固設されたフレームに前記棒状支持体の軸方向に摺動自在に前記棒状支持体を貫装し、上方からの押圧力を外した時に前記バネ部材が伸びる方向に復元し、前記連結アーム部を介してカッター刃と共にカッター本体を上方に浮上するように構成した前項（１）または（５）に記載の多目的電動カッター装置。
【００１７】
【発明の実施の形態】
以下に、本発明に係る多目的電動カッター装置の実施の形態を説明する。
【００１８】
図１は、本発明に係る多目的電動カッター装置の実施例１における全体構成を示す側面図、図２は、図１の平面図、図３（ａ）は、カッター本体に芯出し位置決めジグの円弧状ガイド部材と対を成す係合可動部材を取り付けた例を示す一部破断平面図、（ｂ）は、Ａ−Ａ断面図、図４（ａ）は、芯出し位置決めジグの連結アーム部の側面図、（ｂ）は、芯出し位置決めジグの連結アーム部の平面図、図５（ａ）は、突き当て摺動ガイド部材の平面図、（ｂ）は、突き当て摺動ガイド部材の側面図、図６は、本発明に係る多目的電動カッター装置の実施例２における全体構成を示す平面図、図７は、本発明に係る多目的電動カッター装置の実施例３における全体構成を示す平面図、図８は、その他の実施例における要部構成を示す側断面図である。
【００１９】
以下本発明に係る実施の形態について説明する。
【００２０】
本発明に係る実施の形態は、カッター刃１の回転駆動部２と駆動伝達部２ａを介して連動する吸塵ファン３を有するカッター本体ＨＣと切断時に用いる芯出し位置決めジグＪとから構成される電動カッター装置であって、カッター本体ＨＣと前記芯出し位置決めジグＪを分離自在とし、前記芯出し位置決めジグＪは回動の中心を保持する回動中心部と連結アーム部６でこれに連結する回動支持部とからなり、回動支持部は路面に平行な平面から見てカッター本体ＨＣを水平回動自在とする水平回動機構ＫＨ及び路面に直交する垂直面から見てカッター本体ＨＣを図中ＹＺ方向に上下揺動自在とする上下揺動機構ＫＶとから構成され、例えば電柱や標識柱等の柱状物Ｐの非切断領域を残してその周囲を切断可能とすると共に、カッター本体ＨＣのみを分離して使用可能とする構成としてある。
【００２１】
（実施例１）
以下実施例１について、図面を参照して説明する。
【００２２】
実施例１は、図１および図２に示すように、回動中心部が、柱状物Ｐの周面に沿って回動可能に平行かつ対向して２以上複数の第１遊動輪４、４を備えてｙｘ方向に摺動可能に当接する円弧状の突き当て摺動ガイド部材５を形成し、この円弧状の頂部に接続用雄ネジ部５ａを備え、接続部材６ａ及び連結アーム部６を介して回動支持部に連結可能な構成とし、位置決め芯出しジグＪとした例である。カッター刃１はＹｘ方向に移動して、回動自在である。
【００２３】
（実施例２）
実施例２は、図６に示すように、回動中心部が、柱状物Ｐの周面に沿って回動可能に平行かつ対向して２以上複数の第１遊動輪４′、４′を備えてｙｘ方向に摺動可能に当接する円弧状の突き当て摺動ガイド部材５の外側に重ねて上下揺動自在の楕円形状長手方向半割の弧状体１０を設けて成り、この弧状体１０の頂部に接続用雄ネジ部１０ａを備え、接続部材６ａ及び連結アーム部６を介して回動支持部に連結可能な構成とし、芯出し位置決めジグＪ′とした例である。カッター刃１はＹｘ方向に移動して、回動自在である。
【００２４】
（実施例３）
実施例３は、図７に示すように、回動中心部が、連結アーム部６′を切断円中心方向に伸延した構成とし、この連結アーム部６′の中心側の端部に回動のための支軸１２を、芯出し板状体１１の中心となるＺ軸に沿って垂設して第１遊動輪を不要とすると共に、この連結アーム部６′が前記Ｚ軸に直交する水平軸１３の回りに揺動自在とすると共に、回動支持部に合体する構成とした例である。
【００２５】
以下本発明に係る多目的電動カッター装置を構成する各要素について、図面を参照して説明する。
【００２６】
回動支持部を構成する水平回動機構ＫＨは、回動中心部と接続部材６ａを介して互いにネジ部で係合螺着し、ハンドル部６ｂを回して締結固設し、他端を切断円の位置する外側に向かって伸延する長さ調節機能（図示略）、例えば連結アーム部６を前後に二つに分け、互いに連結する部位に係合する所定寸法等ピッチの孔を設け、ずらして合わせた位置でピン等を用いて固定するなどの長さ調節機能を有する連結アーム部６と、この連結アーム部６の他端に路面に直交する垂直面から見てカッター本体ＨＣをＹＺ方向に上下揺動自在とする上下揺動機構ＫＶを構成する要素となる円孤状ガイド部材７を接続固設し、更に前記連結アーム部６の他端近傍かつ前記円孤状ガイド部材７の切断円の中心寄りに切断操作時の同心円の軌道上を回動可能に２以上複数の第２遊動輪８、８を設けてある。この第２遊動輪８、８は、切断円と同心円の軌道上を移動可能に移動軌道に沿って所定の角度を以って取り付けられており、切断時の水平回動操作を安定して行えるようにしてある。
【００２７】
回動支持部を構成する上下揺動機構ＫＶは、カッター本体ＨＣが円弧に沿ってｙｚ方向に（図１参照）上下揺動自在となるように円孤状ガイド部材７の表裏両面から弾力的に挟持するローラ部材９ａ、９ａを複数対配設し、前記円孤状ガイド部材７にガイドされてｙｚ方向に動作可能な係合可動部材９をカッター本体ＨＣに装脱可能に具備して成る。従って、芯出し位置決めジグＪから分離し、更に係合可動部材９を外すことで、カッター本体ＨＣを単体機器として作業者が手に持って切断作業を自由に行うことが出来る。
【００２８】
係合可動部材９には、円孤状ガイド部材７の円弧状軌道ｙｚに沿ってカッター刃１を具備したカッター本体ＨＣが上下揺動作用を図中ＹＺ方向にスムーズに行えるように、例えば表側となる一側のローラ９ａを固定軸で支持し、裏側となる他側のローラ９ａをバネ部材または合成ゴム等の弾性体９ｂを介在させた緩衝軸で支持するように構成してある。
【００２９】
また、係合可動部材９は、円弧状ガイド部材７上に一定ピッチｐ１、ｐ２…で穿設されたピン孔ｈ１、ｈ２…の所望の位置でピン１４、１４…を挿入して掛止され、固定可能な構成としてある（図８参照）。
【００３０】
上述の図６に示す、実施例２における構成では、柱状物Ｐの中心をＺ軸としてＸ−Ｙ平面上かつＺ軸に直交し、楕円形状長手方向半割の弧状体１０の両端部を通る仮想軸心を支点とする垂直面上を上下に揺動自在としたことにより、上下揺動機構ＫＶの機能に付加されて揺動操作が更に楽に行えるようにしてある。
【００３１】
また、図７に示す、実施例３における構成では、柱状物Ｐや、構造物の周囲以外の、例えば、マンホール枠を含む周囲の路面、或いは歩道上にあるマンホール枠を含む周囲の道路工事等では、芯出し板状体１１を、目標とする切断円の中心に係合載置し、釘１１ａで固定し、回動の支軸１２を前記芯出し板状体１１にロック部材１１ｂで固設し、水平軸１３の回りに上下揺動自在とし、Ｚ軸回りに水平回動して切断操作を行う。この場合も、上下揺動機構ＫＶと併用して作業が楽に行えるようにしてある。
【００３２】
（その他の実施例）
また、その他の実施例として、図８（ａ）、（ｂ）に示すように、第２遊動輪８′を棒状支持体１５ｃの下方先端部に車輪受け８ａ′を介して回動自在に設け、前記棒状支持体１５ｃにバネ部材１５を巻着し、連結アーム６の所定部位に固設されたフレーム１５ａに前記棒状支持体１５ｃの軸方向に摺動自在に前記棒状支持体１５ｃを貫装し、上方からの押圧力を外した時に前記バネ部材１５が伸びる方向に復元し、連結アーム部６を介してカッター刃１と共にカッター本体ＨＣを上方に浮上するバネ式浮上機構ＫＳを構成した例である。
【００３３】
即ち、第２遊動輪８′を押し下げる方向に付勢して設けたバネ部材１５を介して芯出し位置決めジグＪを構成する連結アーム部６の所定部位に取り付け、切断操作はカッター本体ＨＣを上から押え付けるようにして行い、押え付ける力を抜くと、バネ部材１５が伸長し、第２遊動輪８′の接地点を支点として前記バネ部材１５の復元しようとする反発力で連結アーム部６と共に、カッター刃１を具備するカッター本体ＨＣを上方に押し上げ浮上させ、カッター刃１を路面下から引き抜き、自動的にフリーな状態とすることが出来る。
【００３４】
前記フレーム１５ａは、筒状体としても良い。
【００３５】
他の符号について、１５ｂは、頭部ストッパーであり、バネ部材１５が伸びたときの上限を規定している。１５ｄは、鍔部であり、１５ｅは、掛止位置調節部であり、１５ｆは、掛止ハンドルであって棒状支持体１５ｃの任意の位置で当接掛止可能に用いることが出来る。
【００３６】
この実施例のバネ式浮上機構ＫＳは、上述の全ての実施例に適用可能であることは勿論である。
【００３７】
本発明の多目的電動カッター装置は、電柱、標識柱等の柱状物Ｐの大きさに合せて突き当て摺動ガイド部材５の大きさを決定し、切断円の大きさに合せて、▲１▼連結アーム部６の長さを、▲２▼第２遊動輪８の取り付け角度を、▲３▼円弧状ガイド部材７を、▲４▼この円弧状ガイド部材７に係合する係合可動部材９を、▲５▼そしてカッター刃１を、決定すれば良い。
【００３８】
即ち、上述の▲１▼〜▲５▼の各要素（図３，４，５参照）を、電柱用、標識柱用、その他一般用とし、例えば、切断円の直径を、７５０ｍｍφ用、１０００ｍｍφ用、１２００ｍｍφ用等に分類して、これらの大きさに対応出来るように予め用意しておくことによって、発生した工事に即対応でき、短時間で作業が行えて経済効果も向上できる。
【００３９】
尚、カッター本体に、直線切断、円形切断に適合するカッター刃を夫々交換装着することで、円・直両用切断機として使用することができる。
【００４０】
更に説明を加えれば、本発明に係る多目的電動カッター装置は、１）電柱、標識柱（標識ポール）、等の構造物周囲の路面切断工事、２）舗装厚さの比較的薄い場合のマンホール周り路面切断工事、３）タイル、ブロック等の面に構造物を設ける際の切断工事、４）建物の壁、天井、床の穴あけ工事、５）比較的大きな丸窓、配管貫通穴、など普通のボーリングマシーンで対応出来ない工事、６）トンネル内の天井、壁等の補修工事、７）地中に埋設された水道管、ガス管等の本管からの分岐管設置や分岐管補修工事の際の切断工事等、多目的、且つ広範囲に対応することが出来る。
【００４１】
【発明の効果】
以上説明したように本発明によれば、道路面、柱状物等の構造物の周辺、建物の床、壁面、天井、等の手軽で機動性の要求される工事に適した多目的電動カッター装置を提供することが出来る。
【図面の簡単な説明】
【図１】本発明に係る多目的電動カッター装置の実施例１における全体構成を示す側面図
【図２】図１の平面図
【図３】（ａ）カッター本体に芯出し位置決めジグの円弧状ガイド部材と対を成す係合可動部材を取り付けた例を示す一部破断平面図、（ｂ）Ａ−Ａ断面図
【図４】（ａ）芯出し位置決めジグの連結アーム部の側面図、（ｂ）芯出し位置決めジグの連結アーム部の平面図
【図５】（ａ）突き当て摺動ガイド部材の平面図、（ｂ）突き当て摺動ガイド部材の側面図
【図６】本発明に係る多目的電動カッター装置の実施例２における全体構成を示す平面図
【図７】本発明に係る多目的電動カッター装置の実施例３における全体構成を示す平面図
【図８】その他の実施例における要部構成を示す側断面図
【符号の説明】
１      カッター刃
２      回転駆動部
２ａ    駆動伝達部
３      吸塵ファン
４、４′第１遊動輪
５      突き当て摺動ガイド部材
５ａ    接続用雄ネジ部
６、６′連結アーム部
６ａ    接続部材
６ｂ    ハンドル部
７      円孤状ガイド部材
８、８′第２遊動輪
８ａ′  車輪受け
９      係合可動部材
９ａ    ローラ
９ｂ    弾性体
１０    弧状体
１１    芯出し板状体
１１ａ  釘
１１ｂ  ロック部材
１２    支軸
１３    水平軸
１４    ピン
１５    バネ部材
１５ａ  フレーム
１５ｂ  頭部ストッパー
１５ｃ  棒状支持体
１５ｄ  鍔部
１５ｅ  掛止位置調節部
１５ｆ  掛止ハンドル
ＨＣ    カッター本体
Ｊ、Ｊ′芯出し位置決めジグ
ＫＳ    バネ式浮上機構
ＫＶ    上下揺動機構
Ｐ      柱状物
【図１】
2004360276.tif 000003
【図２】
2004360276.tif 000004
【図３】
2004360276.tif 000005
【図４】
2004360276.tif 000006
【図５】
2004360276.tif 000007
【図６】
2004360276.tif 000008
【図７】
2004360276.tif 000009
【図８】
2004360276.tif 000010